(57)【特許請求の範囲】
【請求項１】
内部に電源が収納された本体部と、
前記本体部と分離されており、前記電源から給電されて振動子が振動することにより施術部をマッサージする振動体と、
一端が前記本体部に固定されると共に他端が前記振動体に固定されたばね部材とを有し、
前記振動体の重量を前記本体部の重量よりも小さく設定してなるマッサージ装置であって、
前記本体部にキャップを設け、
前記振動体を前記ばね部材の伸縮に伴い前記キャップに対して進退可能な構成としたことを特徴とするマッサージ装置。
【請求項２】
前記施術部に対する押圧力が既定値以上となったとき、前記振動体が前記キャップ内に入り込むよう構成したこと特徴とする請求項１記載のマッサージ装置。
【請求項３】
前記振動体の移動に応じて、前記振動子の振動数を可変する振動数可変手段を設けたことを特徴とする請求項１又は２に記載のマッサージ装置。
【請求項４】
前記ばね部材のばね定数を、前記施術部の皮膚の応力に基づき設定したことを特徴とする請求項１乃至３のいずれか一項に記載のマッサージ装置。
【請求項５】
前記ばね部材のばね定数を1N/mm未満としたことを特徴とする請求項４記載のマッサージ装置。
【請求項６】
前記押圧力は1.2Nであることを特徴とする請求項２記載のマッサージ装置。
【発明の詳細な説明】
【技術分野】
【０００１】
本発明はマッサージ装置に係り、特に目元のマッサージに好適なマッサージ装置に関する。
【背景技術】
【０００２】
従来から種々のマッサージ装置が提案されている。その中には、マッサージ装置を手に把持した状態で目元等に対してマッサージを行うものがある。
【０００３】
この種のマッサージ装置は、使用者に把持されるケース内部に振動子となる偏心錘を設けたモータ、電源となる乾電池、モータを始動及び停止を行うためのスイッチ等を配設した構成とされている。（特許文献１，２）。
【先行技術文献】
【特許文献】
【０００４】
【特許文献１】特開２００３−０２４４０８号公報
【特許文献２】特開２００４−３５８０８８号公報
【発明の概要】
【発明が解決しようとする課題】
【０００５】
しかしながら従来のマッサージ装置は、一のケース内に乾電池，振動子，スイッチ等が全て収納された構成とされていた。このため、振動子が振動すると、ケース全体が振動してしまい、施術部に十分な振動が伝わらないという問題点があった。これは、特に目元等の顔に対してマッサージを行うような、微弱な振動の場合には顕著な問題となる。
【０００６】
本発明は上記の点に鑑みてなされたものであり、適切な押し圧で良好なマッサージを行いうるマッサージ装置を提供することを目的とする。
【課題を解決するための手段】
【０００７】
上記の課題は、第１の観点からは、
内部に電源が収納された本体部と、
前記本体部と分離されており、前記電源から給電されて振動子が振動することにより施術部をマッサージする振動体と、
一端が前記本体部に固定されると共に他端が前記振動体に固定されたばね部材とを有し、
前記振動体の重量を前記本体部の重量よりも小さく設定してなるマッサージ装置であって、
前記本体部にキャップを設け、
前記振動体を前記ばね部材の伸縮に伴い前記キャップに対して進退可能な構成としたことを特徴とするマッサージ装置により解決することができる。
【発明の効果】
【０００８】
開示のマッサージ装置によれば、重量が大きい本体部と、本体部に対して重量が小さい振動体とを分離し、これをばね部材で接続したことにより、振動体で発生する振動で本体部が振動することはなく、振動体の振動を施術部に確実に伝えることができる。
【０００９】
更に、バネ部材のバネ定数を施術部の皮膚の応力に基づき設定したことにより、施術部の皮膚の応力に適合したマッサージを行うことができ、マッサージ効果の向上を図ることができる。
【図面の簡単な説明】
【００１０】
【図１】図１は、本発明の一実施形態であるマッサージ装置の分解斜視図である。
【図２】図２は、本発明の一実施形態であるマッサージ装置の全体構成を概略的に示す要部構成図である。
【図３】図３は、本発明の一実施形態であるマッサージ装置に設けられる振動数可変装置を説明するための図である。
【図４】図４は、皮膚に対するマッサージ装置の押圧力とモータ回転数（振動）との関係を示す図である。
【図５】図５は、フロントキャップに対する振動体の動作を説明するための図である。
【図６】図６は、振動体と施術部（皮膚）を弾性体として示したモデル図である。
【図７】図７は、真皮をマッサージする場合と表皮をマッサージする場合におけるばね定数の選定を説明するための図である。
【図８】図８は、コイルばねのばね定数及びばね定数と皮膚応力の相関関係を示す図である。
【図９】図９は、目元における皮膚の応力の測定位置を示す図である。
【図１０】図１０は、目元の皮膚の応力を測定した結果の一例を示す図である（その１）。
【図１１】図１１は、目元の皮膚の応力を測定した結果の一例を示す図である（その２）。
【図１２】図１２は、目元の皮膚の応力を測定した結果の一例を示す図である（その３）。
【図１３】図１３は、目元の皮膚の応力を測定した結果の一例を示す図である（その４）。
【図１４】図１４は、目元の皮膚の応力を測定した結果の一例を示す図である（その５）。
【図１５】図１５は、目元の皮膚の応力を測定した結果の一例を示す図である（その６）。
【図１６】図１６は、変形例であるマッサージ装置を説明するための図である。
【発明を実施するための形態】
【００１１】
次に、本発明の実施の形態について図面と共に説明する。
【００１２】
図１及び図２は、本発明の一実施形態であるマッサージ装置１０の全体構成を示す図である。図１は、本発明の一実施形態であるマッサージ装置１０の分解斜視図である。また、図２はマッサージ装置１０の概略構成図である。
【００１３】
本実施形態に係るマッサージ装置１０は、使用者に把持されて使用されるペンタイプのマッサージ装置であり、例えば使用者の目元を施術部（マッサージする位置）とするものである。目元に対してマッサージを行うことにより、この部位における血流上昇を図ることができ、いわゆる目元のくまを解消すること等ができる。
【００１４】
このマッサージ装置１０は、大略すると本体部１１、振動体１２、及びコイルばね１３を有した構成とされている。
【００１５】
本体部１１は、いずれも樹脂成型品であるケース１４とシャーシ１５を有している。先ず、シャーシ１５について説明する。シャーシ１５は図中矢印Ｘ２方向側に電池収納部１９が形成されると共に、矢印Ｘ１方向側にスイッチ収納部２１が形成されている。
【００１６】
電池収納部１９は、電源となる乾電池２０を収納する部位である。本実施形態では、電源として単４の乾電池２０を用いる例を示すが、電源はこれに限定されるものではなく、ボタン電池或いは充電可能な充電池等を用いることも可能である。
【００１７】
スイッチ収納部２１は、シャーシ１５の電池収納部１９に対してＸ１方向側に形成されている。この電池収納部１９の内部には、メインスイッチ２２及び振動数可変装置２３が配設されている。また、シャーシ１５の矢印Ｘ１方向の先端部には、コイルばね１３を装着するためのばね装着部２８が形成されている。
【００１８】
一方、ケース１４はメインボディ１６、リアキャップ１７，及びフロントキャップ１８等を有している。上記構成とされたシャーシ１５は、このケース１４内に収納される。メインボディ１６は略筒状の形状を有しており、スイッチ収納部２１を内部に収納した状態でシャーシ１５に固定される。
【００１９】
リアキャップ１７は、有底筒状の形状を有している。このリアキャップ１７の開口側（Ｘ１方向側）の端部には、装着部１７Ａが形成されている。この装着部１７Ａは、メインボディ１６のＸ２方向端部に着脱可能な構成とされている。
【００２０】
上記構成とされたリアキャップ１７は、メインボディ１６に装着された状態でシャーシ１５に形成された電池収納部１９を覆うよう構成されている。よって、乾電池２０の交換を行う際、リアキャップ１７はメインボディ１６から着脱される。
【００２１】
また、メインボディ１６のＸ１方向の端部には、装着部１６Ａが形成されている。この１６Ａには、フロントキャップ１８が装着される。フロントキャップ１８は、先端部１８Ｂに開口部１８Ａが形成されている。そして、この開口部１８Ａから、後述する振動体１２の振動子３３が進退可能に突出するよう構成されている。
【００２２】
振動体１２は、振動モータ３０，モータホルダ３２，及び振動子３３等を有した構成とされている。
【００２３】
振動モータ３０は、前記した乾電池２０を電源として駆動される。また、偏心ウエイト３１は、振動モータ３０の回転軸に取り付けられている。偏心ウエイト３１はその重心が振動モータ３０の回転軸からずれているため、振動モータ３０が回転することにより振動が発生する。なお、振動モータ３０は図示しない配線により、前記した振動数可変装置２３に接続されている。
【００２４】
モータホルダ３２は、振動モータ３０を保持するホルダである。このモータホルダ３２のＸ２方向端部には、コイルばね１３を装着するためのばね装着部３４が形成されている。また、モータホルダ３２のＸ１方向端部には、振動子３３が固定される。
【００２５】
更に、ばね装着部３４には、Ｘ２方向延出する操作レバー２４が設けられている（図１には現れず。図３参照）。この操作レバー２４は振動数可変装置２３の一部を構成するものであり、コイルばね１３を挿通してシャーシ１５のスイッチ収納部２１内まで延出するよう構成されている。なお、操作レバー２４の詳細については、後述するものとする。
【００２６】
振動子３３は、使用者の施術部に直接接触する部位である。よって、振動モータ３０が回転することにより振動が発生すると、この振動は振動子３３に伝達されて振動し、これにより施術部に対するマッサージが実施される。
【００２７】
コイルばね１３は、そのＸ２方向側の端部がシャーシ１５のばね装着部２８に接続されている。また、コイルばね１３のＸ１方向側の端部は、モータホルダ３２のばね装着部３４に接続されている。このように本実施形態に係るマッサージ装置１０は、本体部１１と振動体１２が分離された構成とされており、この分離された本体部１１と振動体１２をコイルばね１３により接続した構成とされている（図２参照）。
【００２８】
上記構成とされたマッサージ装置１０を組み立てるには、先ずシャーシ１５にメインスイッチ２２、振動数可変装置２３、及び乾電池２０用の配線３５等を配設することにより本体部１１を作製する。次に、振動モータ３０に偏心ウエイト３１を取り付け、この振動モータ３０をモータホルダ３２に配設する。なお、モータホルダ３２のＸ２方向端部には、操作レバー２４が予め設けられている。
【００２９】
次に、シャーシ１５のばね装着部２８とモータホルダ３２のばね装着部３４との間に、コイルばね１３を配設する。これにより、シャーシ１５とモータホルダ３２は、コイルばね１３を介して接続された状態となる。
【００３０】
次に、シャーシ１５にメインボディ１６を固定する。具体的には、筒形状とされたメインボディ１６の貫通孔１６Ｂに振動モータ３０、モータホルダ３２、及びコイルばね１３を挿入し、その上でメインボディ１６をシャーシ１５に接着剤等を用いて固定する。
【００３１】
メインボディ１６がシャーシ１５に固定された状態で、モータホルダ３２の先端部（偏心ウエイト３１が位置する部位）は、メインボディ１６のＸ１方向の先端部から突出した状態となる。振動子３３は、モータホルダ３２のメインボディ１６の先端部から突出した部分に取り付けられる。
【００３２】
次に、メインボディ１６の装着部１６Ａには、振動子３３を覆うようにフロントキャップ１８が装着される。フロントキャップ１８は開口部１８Ａが形成されており、フロントキャップ１８をメインボディ１６に装着した状態で、振動子３３はこの開口部１８Ａから突出した状態となる。
【００３３】
振動子３３は、外周に鍔部３３Ａが形成されている。そして、この鍔部３３Ａがフロントキャップ１８に形成された先端部１８Ｂの背面側と当接することより、振動子３３のフロントキャップ１８からの離脱が防止されている。
【００３４】
なお、リアキャップ１７はシャーシ１５の電池収納部１９に乾電池２０を装着後、乾電池２０を覆うようにメインボディ１６に装着される。
【００３５】
以上の工程を行うことにより、マッサージ装置１０は組み立てられる。この組み立て状態において振動子３３がＸ２方向に押圧されると、コイルばね１３は圧縮変形して振動子３３はフロントキャップ１８に対してＸ２方向に変位する。また、この押圧が解除されることにより、コイルばね１３は弾性復元し、これにより振動子３３は再び先端部１８Ｂの背面と当接する位置（以下、この位置をイニシャライズ位置という）に戻る。
【００３６】
ここで、本体部１１の重量Ｍ１と振動体１２の重量Ｍ２とを比較する。前記のように、本体部１１は、ケース１４（メインボディ１６，リアキャップ１７）とシャーシ１５とを有し、電池収納部１９には重量物である乾電池２０が収納される。これに対し、振動体１２は、モータホルダ３２内に振動モータ３０と偏心ウエイト３１を設けた構成である。このため、本体部１１の重量Ｍ１は振動体１２の重量Ｍ２に比べて数倍の重量となっている（Ｍ１≫Ｍ２）。
【００３７】
本実施形態では、本体部１１と振動体１２を分離すると共に、振動体１２の重量Ｍ２を本体部１１の重量Ｍ１に比べて小さく設定している。よって、施術部をマッサージする（振動を印加する）には、軽量の振動体１２のみを振動させればよい。このため、低出力の振動モータ３０で所望の振動を生成させることが可能となる。また、振動モータ３０の消費電力を低減でき、乾電池２０の長寿命化を図ることができる。
【００３８】
更に、本体部１１と振動体１２の間には重量差があり、また本体部１１と振動体１２の間にコイルばね１３が配設されている。このため、振動体１２で振動を発生させても、この振動により本体部１１が振動するようなことはない。よって、振動体１２で発生した振動をマッサージを行う施術に作用させることができ、効率の高いマッサージを実施することができる。
【００３９】
次に、マッサージ装置１０の電気回路について説明する。前記のように、マッサージ装置１０は乾電池２０を電源として、振動モータ３０を駆動することにより振動を発生させる構成とされている。このため本実施形態では、乾電池２０と振動モータ３０とを電気的に接続するためのメインスイッチ２２及びモータ３０で発生する振動を可変する振動数可変装置２３を有している。
【００４０】
メインスイッチ２２は、マッサージ装置１０を使用する際に使用者により操作されるスイッチである。このメインスイッチ２２をＯＮにすることによりマッサージ装置１０は使用可能な状態となり、逆にメインスイッチ２２をＯＦＦとすることによりマッサージ装置１０は停止状態となる。なお、メインスイッチ２２をＯＮにしても、マッサージ装置１０は直ちに振動を開始しない構成となっている。
【００４１】
振動数可変装置２３は、操作レバー２４、フォトインタラプタ２５、及び可変抵抗器２６等により構成されている。操作レバー２４は、振動体１２（具体的には、モータホルダ３２）に接続されている。この操作レバー２４は、振動体１２からＸ２方向に延出しており、その先端部はコイルばね１３を挿通してフォトインタラプタ２５の形成位置まで延出するよう構成されている。
【００４２】
フォトインタラプタ２５は、発光素子２５Ａと受光素子２５Ｂとにより構成されている。発光素子２５Ａから受光素子２５Ｂに向け光が照射されており、この光が操作レバー２４により遮られることにより、フォトインタラプタ２５はＯＦＦ／ＯＮされる構成となっている。本実施形態では、振動子３３（振動体１２）がイニシャライズ位置にあるとき、操作レバー２４はフォトインタラプタ２５から離間するよう構成されている。
【００４３】
このイニシャライズ位置から振動子３３（振動体１２）が押圧されてＸ２方向に変位すると、操作レバー２４は発光素子２５Ａと受光素子２５Ｂとの間に進行し、発光素子２５Ａから受光素子２５Ｂへの光を遮るよう構成されている。フォトインタラプタ２５は、これを検出して振動モータ３０を起動する。本実施形態では、振動子３３（振動体１２）が約1mm変位することにより、振動モータ３０が起動されるよう操作レバー２４及びフォトインタラプタ２５の配設位置を調整している。
【００４４】
また、操作レバー２４には操作部２７が設けられており、この操作部２７と対向する位置には可変抵抗器２６が配設されている。可変抵抗器２６の電気抵抗は、操作部２７がＸ１，Ｘ２方向に移動することにより可変される構成となっている。
【００４５】
具体的には、振動子３３（振動体１２）がイニシャライズ位置にあるときの可変抵抗器２６は低抵抗Ｒ０となっている。これに対し、操作部２７がＸ２方向に移動するに従い、可変抵抗器２６の抵抗値は漸次大きくなるよう構成されている。そして、図３（Ｂ）に示す振動子３３（振動体１２）がＸ２方向に最も移動した状態で、可変抵抗器２６の抵抗値が最大抵抗値Ｒ１となる位置まで操作部２７が移動するよう構成されている。
【００４６】
上記構成とされた可変抵抗器２６を振動モータ３０の駆動回路に組み込むことにより、振動子３３（振動体１２）のＸ１，Ｘ２方向の移動に伴い、振動モータ３０に印加する電圧を可変することが可能となる。振動モータ３０に印加する電圧は、偏心ウエイト３１を設けた振動モータ３０が発生する振動数と相関する。よって、本実施形態に係るマッサージ装置１０は、振動子３３（振動体１２）のＸ１，Ｘ２方向の移動に伴い、発生する振動の振動数を可変することができる。
【００４７】
本実施形態では、振動子３３（振動体１２）をＸ２方向に押し込むに従い、振動モータ３０の回転数が漸次減少するよう構成されている。前記のように、振動モータ３０には偏心ウエイト３１が取り付けられており、この偏心ウエイト３１が回転することにより振動が発生する。よって、振動モータ３０の回転数の増減に伴い、発生する振動の振動数も増減することになる。
【００４８】
ここで、本発明者がマッサージ装置１０を用いて実施した、血流上昇効果（血行促進効果）を測定した実験結果について説明する。
【００４９】
本実験では２０代〜３０代の女性４名を被験者とし、この各被験者にマッサージ装置１０を用いて目元を２分間マッサージしてもらい、マッサージ実施前の血流とマッサージ後の血流の変化を血流測定機で測定した。
【００５０】
また、マッサージを実施するに際し、施術部に対する振動子３３の押圧力の大きさ(N)と、振動モータ３０の回転数(rpm)とをパラメータとし、この二つのパラメータの組み合わせを変化させ、それぞれについて血流変化を求めると共に被験者の使用感の官能検査（アンケートによる）も実施した。
【００５１】
図４は、本実験の実験結果を示している。先ず押圧力に注目すると、同図に示されるように押圧力が1.2Nを越えると、押圧が強くて痛いと感じる人が出てくることが判った。よってマッサージ装置１０の使用感を良好とするためには、押圧力を1.2N以下とすることが望ましい。
【００５２】
一方、振動モータ３０の回転数に注目すると、回転数が7500rpmを超えると振動が強く、使用感が悪いと感じる人が出てくることが判った。よって、マッサージ装置１０の使用感を良好とするためには、振動モータ３０の回転数を7500rpm以下とすることが望ましい。
【００５３】
また、押圧力及びモータの回転数を低く設定すると、マッサージ効果が低減してしまう。押圧力に関しては、0.6N未満の押圧力ではマッサージ効果を実感できない人が出てきた。同様に、振動モータ３０の回転数では4000rpm未満ではマッサージ効果を実感できない人が出てきた。
【００５４】
よって、本実験より押圧力を0.6N以上1.2N以下とし、かつ、振動モータ３０の回転数を4000rpm以上7500rpm以下とすることにより、マッサージ装置１０の使用性を高めることができると共に、被験者が確実なマッサージ効果を実感できることが判明した。
【００５５】
以上の実験結果に基づき、前記した振動数可変装置２３は、振動体１２のＸ１，Ｘ２方向の移動に伴い、振動モータ３０の回転数を4000rpm〜7500rpmの範囲で変更されるよう構成した。前記のように、振動モータ３０の回転数は、偏心ウエイト３１の回転により発生する振動数に相関している。よって、押圧力に応じて振動モータ３０の回転数を4000rpm〜7500rpmの範囲で変更することにより、施術部に対して心地よい振動を印加することができる。特に、図４に矢印Ａで示す領域内において、高い使用性及びマサージ効果を得ることができた。
【００５６】
また、図４には押圧力と回転数を変化させた場合の血流上昇率も合わせて記載しているが、上記した領域Ａ内においては血流上昇率が高まっており、これにより押圧力を0.6N以上1.2N以下とし、かつ、振動モータ３０の回転数を4000rpm以上7500rpm以下とすることにより、高いマッサージ効果を得られることが実証された。
【００５７】
一方、マッサージ装置１０は使用者に把持されて使用されるものであるため、誤って強く施術部を押圧してしまうことがある。この場合、使用感が不良となると共に、施術部が赤くなってしまうことが考えられる。
【００５８】
そこで、本実施形態に係るマッサージ装置１０は、1.2Nを越える押圧力がされた場合、振動子３３がフロントキャップ１８内に入り込むよう設定した。これについて、図５を用いて説明する。図５は、フロントキャップ１８の先端近傍を拡大して示す概略構成図である。
【００５９】
図５（Ａ）は、振動子３３に対して加圧が全くない状態を示している。この時、振動体１２に設けられた操作レバー２４はフォトインタラプタ２５から離間しており、よって振動モータ３０は停止した状態となっている（図３（Ａ）参照）。
【００６０】
図５（Ｂ）は、振動子３３が押圧（1.2N以下の押圧力で押圧）されて距離ΔＸ（1mm以上）だけＸ２方向に移動した状態を示している。これにより、操作レバー２４は発光素子２５Ａと受光素子２５Ｂとの間に進行し、振動モータ３０が起動される（図３（Ｂ）参照）。通常は、この状態において施術部に対してマッサージが実施される。
【００６１】
図５（Ｃ）は、振動子３３が1.2Nを越す押圧力（図中、図中矢印Ｆで示す）で押圧された状態を示している。マッサージ装置１０は、コイルばね１３の伸縮に伴い振動子３３がフロントキャップ１８に対して進退可能な構成となっている。本実施形態では、振動子３３が施術部を押圧する押圧力が1.2N（請求項に記載の既定値）以上となったとき、振動子３３がフロントキャップ１８内に入り込むよう構成している。
【００６２】
この状態では、振動子３３はフロントキャップ１８の先端部１８Ｂと略面一の状態となっている。このため、それ以上の負荷で施術部が押圧されることを防止でき、施術部が赤くなったり、また使用者に不快な使用感を与えたりすることを防止できる。
【００６３】
次に、コイルばね１３の選定方法について説明する。
【００６４】
マッサージ装置１０の施術部となる皮膚（以下、皮膚ＡＡと示す）は、一種の弾性体として考えられる。図６は、マッサージ装置１０を構成する振動体１２と皮膚ＡＡを弾性体として示したモデル図である。
【００６５】
使用者の皮膚ＡＡ（施術部）は、例えば顔を例に挙げると骨格上に真皮，表皮等が積層された構造を有し、またこの真皮，表皮等は弾性的に変形が可能なものである。よって、皮膚ＡＡは、ばね定数（Ｋ２）を有した一種のばねと等価なものと考えることができる。従って、これをばねのモデルとして描くと、図６に示すように、振動モータ３０（接触部１７）の一方にばね定数Ｋ１のコイルばね１３が接続し、他方にばね（ばね定数Ｋ２）としての皮膚ＡＡが接続したモデルが形成される。
【００６６】
ここで、図６に示すモデルにおいて、皮膚ＡＡのばね定数が所定値であると仮定し（Ｋ２＝一定）、この条件の下でコイルばね１３のばね定数（Ｋ１）を変化させることを考える。先ず、皮膚ＡＡのばね定数Ｋ２に対してコイルばね１３のばね定数Ｋ１が大きい場合（Ｋ１＞Ｋ２）を想定する。図７（Ａ）はこの状態を示している。
【００６７】
コイルばね１３のばね定数Ｋ１が皮膚ＡＡのばね定数Ｋ２よりも大きい（Ｋ１＞Ｋ２）場合、振動モータ３０は強く皮膚ＡＡに対して押圧されることとなる。また、振動モータ３０で発生する振動は、コイルばね１３で減衰されることなく皮膚ＡＡに伝達され、よって皮膚ＡＡの奥まで振動が印加されることとなる。よって、皮膚ＡＡの深層まで振動モータ３０の振動は作用し、血管拡張が増大しマッサージ効果の向上を図ることができる。
【００６８】
一方、コイルばね１３のばね定数Ｋ１が皮膚ＡＡのばね定数Ｋ２よりも小さい（Ｋ１＜Ｋ２）場合、振動モータ３０の皮膚ＡＡに対する押圧力は小さくなる。図７（Ｂ）は、この状態を示している。またこの状態では、振動モータ３０で発生する振動は、コイルばね１３のばね定数Ｋ１が小さいことによりコイルばね１３で減衰され、皮膚ＡＡへの伝達は小さくなる。よって振動モータ３０の振動は、皮膚ＡＡの表層のみに作用することとなり、皮膚ＡＡの深層に対する作用は少ないが、皮膚ＡＡの表層における血管拡張の増大は期待することができる。
【００６９】
なお、近年の研究（Jouranal of Investigative Dermotology 2009 Ikeyama ら）において、皮膚ＡＡの表皮に対して圧刺激を行うことにより、皮膚ＡＡの表皮から血管拡張因子（ＮＯ）が産生され、表皮直下の血管やリンパ管を拡張させることが明らかになった。よって、コイルばね１３のばね定数Ｋ１を皮膚ＡＡのばね定数Ｋ２よりも小さく設定することにより、表層付近に圧を負荷し、血管拡張因子産生を促し血行促進などの美容効果の増進を期待することができる。
【００７０】
ところで、上記の説明では皮膚ＡＡのばね定数Ｋ２を一定であると仮定して説明を行ってきたが、実際に使用者Ａの皮膚ＡＡの状態は各部位で異なり、それぞれの物理特定（上記のばね定数も含む）も異なる。そこで本発明者は、マッサージ装置１０Ａを使用する使用者Ａの皮膚ＡＡの物理特性を測定し、その測定結果に基づきコイルばね１３のばね定数Ｋ１を求めることを試みた。
【００７１】
図６及び図７に示したモデル図からすると、使用者Ａの皮膚ＡＡのばね定数Ｋ２を直接測定することができることが望ましい。しかしながら、実際は使用者Ａの皮膚ＡＡのばね定数Ｋ２を直接測定することは困難である。そこで、本発明者は皮膚ＡＡの物理特性として皮膚ＡＡの応力を測定し、この皮膚の応力に基づきコイルばね１３のばね定数Ｋ１を設定することとした。具体的には、本実施形態において「皮膚の応力」とは、１秒間に10mm皮膚を押したときに得られる応力と定義する。
【００７２】
一般に、皮膚ＡＡが柔らかい部分は皮膚の応力が小さく、よって皮膚ＡＡのばね定数Ｋ２は小さい。逆に皮膚ＡＡが硬い部分は皮膚の応力が大きく、よって皮膚ＡＡのばね定数Ｋ２は大きい。このように、皮膚ＡＡの皮膚の応力と皮膚ＡＡのばね定数Ｋ２は相関関係があるため、皮膚ＡＡの皮膚の応力に基づきコイルばね１３のばね定数Ｋ１を設定することが可能である。
【００７３】
図８は、本発明者が実験により求めた、皮膚の応力とコイルばねの線径との関係、及び皮膚の応力とコイルばねのばね定数との関係を示している。
【００７４】
本発明者は、皮膚の応力とコイルばねの線径との関係を求めるため、次のような実験を行った。皮膚の応力については、フォースケージを所定の顔の測定点に押し当てて皮膚の応力の測定を行った。
【００７５】
一方、外径及び自由長を一定値とした上で、線径を変化させた各種コイルばねを用意し、皮膚の応力を測定するのと同様の方法で各種コイルばねを押圧したときに発生する応力をフォースケージで測定した。
【００７６】
具体的には、各種コイルばねをフォースケージで１秒間に10mm押し、この時にフォースケージで測定される応力を求めた。この際、本実施形態で、コイルばねの外径を10mmとし、自由長を20mmとして応力測定を行った。
【００７７】
本実施形態では、皮膚の応力を0.1g未満（柔らかい）、0.1ｇ以上0.2ｇ未満（やや柔らかい）、0.2ｇ以上0.3ｇ未満（やや硬い）、0.3ｇ以上（硬い）の四分類に区分した。そこで、コイルばねの線径と応力との関係についても、測定されたコイルばねの応力を皮膚の応力の四分類に対応するよう分類したところ、図８に示すように線径が分類された。
【００７８】
即ち、皮膚の応力が0.1g未満（柔らかい）に対応するコイルばねの線径は0.53mm未満であった。また、皮膚の応力が0.1ｇ以上0.2ｇ未満（やや柔らかい）に対応するコイルばねの線径は0.53mm以上0.65mm未満であった。また、皮膚の応力が0.2ｇ以上0.3ｇ未満（やや硬い）に対応するコイルばねの線径は0.65mm以上0.75mm未満であった。更に、皮膚の応力が0.3ｇ以上（硬い）に対応するコイルばねの線径は0.75mm以上であった。
【００７９】
ところで、上記した皮膚の応力とばね線径との相関関係では、コイルばねの外径及び自由長が一定に規定されたものであるため、コイルばね選定に際し一般化されていないため使用し難い面がある。このため本実験者は、コイルばねの線径とばね定数との相関についても求めることとした。周知のようにばね定数と線径は相関しているため、この相関関係に基づき線径からばね定数を求めることができる。このようにして求めたばね定数の値を、図８に皮膚の応力の分類に対応するよう記載した。
【００８０】
その結果、皮膚の応力が0.1g未満（柔らかい）に対応するコイルばねのばね定数は0.2N/mm未満であった。また、皮膚の応力が0.1ｇ以上0.2ｇ未満（やや柔らかい）に対応するコイルばねのばね定数は0.2N/mm以上0.4N/mm未満であった。また、皮膚の応力が0.2ｇ以上0.3ｇ未満（やや硬い）に対応するコイルばねのばね定数は0.4N/mm以上1.0N/mm未満であった。更に、皮膚の応力が0.3ｇ以上（硬い）に対応するコイルばねのばね定数は1.0N/mm以上であった。
【００８１】
図８を用いて、マッサージ装置１０に配設されるコイルばね１３のばね定数Ｋ２（線径）を設定する具体的な方法について説明する。
【００８２】
コイルばね１３のばね定数を設定するに際し、先ず本発明者は目元領域（以下、目元領域ＥＫと示す）の皮膚の応力を測定した。測定位置は、図９に示すように、目Ｅの下部で目頭から目の中心位置との間の中間位置（図中、Ｐ１で示す位置）と、目尻の下（図中、Ｐ２で示す位置）とを測定した。また皮膚の応力の測定方法は、図１０（Ａ）〜図１５（Ａ）に示す被験者に対し、目元領域ＥＫの皮膚の応力を測定する実験を行った。この皮膚の応力の測定は、フォースケージを用いて行った。
【００８３】
その結果を図１０（Ｂ）〜図１５（Ｂ）に示す。各図において測定値は、上記と同様に0.1g未満（柔らかい）、0.1ｇ以上0.2ｇ未満（やや柔らかい）、0.2ｇ以上0.3ｇ未満（やや硬い）、0.3ｇ以上（硬い）の四分類に区分し、それぞれを濃淡を分けて付すことにより表示している。
【００８４】
本実施形態では、図１０〜図１５に示す各被験者の皮膚の応力の平均値を取り、この平均値に基づきコイルばね１３のばね定数を選定するものとする。なお、図８に示した皮膚の応力とコイルばねの線径及びばね定数との相関図は、顔を対象としたものであり目元その測定結果に対しても適用可能なものである。
【００８５】
図１０〜図１５に示す各被験者の皮膚の応力の平均値は、約0.31gであった。よって、図８より目元付近のばね定数は約1N/mm以上である。よって本実施形態では、コイルばね１３は、ばね定数として1N/mm未満のものを選定した。このように設定することにより、コイルばね１３のばね定数Ｋ１は目元領域EKのばね定数よりも小さくすることができ、目元領域ＥＫにおける表皮近傍における血行の促進を図ることができ、目にくまが発生してもこれを確実に療養することが可能となる。
【００８６】
なお、図１に示したマッサージ装置１０では、本体部１１にフロントキャップ１８を設け、振動子３３が所定値以上の押圧力で押圧された際、振動子３３がフロントキャップ１８内に入り込むよう構成した（図５参照）。しかしながら、フロントキャップ１８は必ずしも設ける必要はなく、例えば図１６に示すマッサージ装置４０のように、本体部１１にフロントキャップを設けず、よって振動体１２（振動子３３）が本体部１１内に張り込まない構成とすることも可能である。
【００８７】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００８８】
１０，４０  マッサージ装置
１１  本体部
１２  振動体
１３  コイルばね
１４  ケース
１５  シャーシ
１６  メインボディ
１７  リアキャップ
１８  フロントキャップ
１８Ａ  開口部
１８Ｂ  先端部
２０  乾電池
２１  スイッチ収納部
２２  メインスイッチ
２３  振動数可変装置
２４  操作レバー
２５  フォトインタラプタ
２６  可変抵抗器
２７  操作部
３０  振動モータ
３１  偏心ウエイト
３２  モータホルダ
３３  振動子
【図１】
0005145448.tif 000002
【図２】
0005145448.tif 000003
【図３】
0005145448.tif 000004
【図４】
0005145448.tif 000005
【図５】
0005145448.tif 000006
【図６】
0005145448.tif 000007
【図７】
0005145448.tif 000008
【図８】
0005145448.tif 000009
【図９】
0005145448.tif 000010
【図１６】
0005145448.tif 000011
【図１０】
0005145448.tif 000012
【図１１】
0005145448.tif 000013
【図１２】
0005145448.tif 000014
【図１３】
0005145448.tif 000015
【図１４】
0005145448.tif 000016
【図１５】
0005145448.tif 000017